【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
表示アイテムを表示手段に表示するように制御する表示制御手段と、
前記表示手段に表示された表示アイテムを該表示手段上で移動させる操作を受け付ける受付手段と、
前記受付手段で受け付けた操作によって表示アイテムが選択されて移動可能になったことに応じて、選択された表示アイテムを選択前の表示サイズとは異なるサイズで表示するとともに、該選択された表示アイテムに対する特定の処理を指示する指示アイテムであって、前記選択された表示アイテムの選択前に表示されていなかった指示アイテムを表示するように制御する制御手段と、
前記選択された表示アイテムが前記指示アイテムの表示位置に移動されたことに応じて、前記選択された表示アイテムに対して前記特定の処理を実行する処理手段と
を有することを特徴とする表示制御装置。
【請求項２】
前記表示制御手段は、複数の表示アイテムを表示するように制御し、
前記制御手段は、前記複数の表示アイテムのうち前記選択された表示アイテムとは異なる表示アイテムに代えて前記指示アイテムを表示するように制御することを特徴とする請求項１に記載の表示制御装置。
【請求項３】
前記表示制御手段は、複数の表示アイテムを表示するように制御し、
前記制御手段は、前記複数の表示アイテムのうち前記選択された表示アイテム以外の表示アイテムを非表示にして前記指示アイテムを表示するように制御することを特徴とする請求項１または２に記載の表示制御装置。
【請求項４】
前記制御手段は、前記操作の終了に応じて前記指示アイテムを非表示にするように制御することを特徴とする請求項１乃至３のいずれか１項に記載の表示制御装置。
【請求項５】
前記制御手段は、前記操作の終了に応じて前記表示アイテムの表示サイズを前記選択前の表示サイズに戻すように制御することを特徴とする請求項１乃至４のいずれか１項に記載の表示制御装置。
【請求項６】
前記指示アイテムは、前記特定の処理として、削除、印刷、共有、タグ付けの少なくとも１つを指示する指示アイテムであることを特徴とする請求項１乃至５の何れか１項に記載の表示制御装置。
【請求項７】
前記制御手段は、前記指示アイテムを前記表示手段の画面周辺部に表示するように制御することを特徴とする請求項１乃至６の何れか１項に記載の表示制御装置。
【請求項８】
前記制御手段は、前記受付手段で受け付けた操作によって表示アイテムが選択されて移動可能になったことに応じて、前記選択された表示アイテムを選択前の表示サイズよりも拡大して表示するように制御することを特徴とする請求項１乃至７の何れか１項に記載の表示制御装置。
【請求項９】
前記制御手段は、前記選択された表示アイテムの前記選択前の表示サイズが所定サイズより小さかった場合に、選択前の表示サイズよりも拡大して表示するように制御することを特徴とする請求項８に記載の表示制御装置。
【請求項１０】
前記制御手段は、前記受付手段で受け付けた操作によって表示アイテムが選択されて移動可能になったことに応じて、前記選択された表示アイテムを選択前の表示サイズよりも縮小して表示するように制御することを特徴とする請求項１乃至７の何れか１項に記載の表示制御装置。
【請求項１１】
前記制御手段は、前記選択された表示アイテムの前記選択前の表示サイズが所定サイズより大きかった場合に、選択前の表示サイズよりも縮小して表示するように制御することを特徴とする請求項１０に記載の表示制御装置。
【請求項１２】
前記制御手段は、前記表示制御手段が所定の表示モードで前記表示アイテムを表示していた場合に、選択前の表示サイズよりも縮小して表示するように制御することを特徴とする請求項１０に記載の表示制御装置。
【請求項１３】
前記所定の表示モードは、１画面に１枚の表示アイテムを表示する表示モードであることを特徴とする請求項１２に記載の表示制御装置。
【請求項１４】
前記制御手段は、移動前の前記選択された表示アイテムの表示位置が、前記指示アイテムが表示される位置と重なる場合は、前記選択された表示アイテムの表示位置を前記指示アイテムが表示される位置に重ならない位置に調整することを特徴とする請求項１乃至１３の何れか１項に記載の表示制御装置。
【請求項１５】
前記表示制御手段は、複数の表示アイテムを表示するように制御し、
前記制御手段は、前記複数の表示アイテムのうち前記選択された表示アイテム以外の表示アイテムを半透過にして前記指示アイテムを表示するように制御することを特徴とする請求項１に記載の表示制御装置。
【請求項１６】
前記受付手段は、複数の表示アイテムをまとめて該表示手段上で移動させる操作を受け付けることが可能であることを特徴とする請求項１乃至１５の何れか１項に記載の表示制御装置。
【請求項１７】
前記制御手段は、前記選択された表示アイテムの位置に応じて円弧状に複数の前記指示アイテムを表示するように制御することを特徴とする請求項１乃至１６の何れか１項に記載の表示制御装置。
【請求項１８】
前記表示アイテムは電子データを表すことを特徴とする請求項１乃至１７の何れか１項に記載の表示制御装置。
【請求項１９】
前記電子データは、画像、文書ファイル、音声ファイルの少なくとも１つであることを特徴とする請求項１８に記載の表示制御装置。
【請求項２０】
前記受付手段は、前記表示手段に対するタッチ操作を受け付けるタッチ操作手段であることを特徴とする請求項１乃至１９の何れか１項に記載の表示制御装置。
【請求項２１】
デジタルカメラであることを特徴とする請求項１乃至２０の何れか１項に記載の表示制御装置。
【請求項２２】
携帯電話端末であることを特徴とする請求項１乃至２０の何れか１項に記載の表示制御装置。
【請求項２３】
ＰＤＡ、携帯型の画像ビューワ、プリンタ装置、デジタルフォトフレーム、携帯音楽プレーヤー、ゲーム機の少なくともいずれかであることを特徴とする請求項１乃至２０の何れか１項に記載の表示制御装置。
【請求項２４】
表示アイテムを表示手段に表示するように制御する表示制御手段と、
前記表示手段に表示された表示アイテムを該表示手段上で移動させる操作を受け付ける受付手段と、
前記受付手段で受け付けた操作によって表示アイテムが選択されて移動可能になったことに応じて、選択された表示アイテムを選択前の表示サイズとは異なるサイズして表示し、前記操作が終了したことに応じて、前記選択された表示アイテムの表示サイズを前記選択前の表示サイズに戻すように制御する制御手段と
を有することを特徴とする表示制御装置。
【請求項２５】
表示アイテムを表示手段に表示するように制御する表示制御ステップと、
前記表示手段に表示された表示アイテムを該表示手段上で移動させる操作を受け付ける受付ステップと、
前記受付ステップで受け付けた操作によって表示アイテムが選択されて移動可能になったことに応じて、選択された表示アイテムを選択前の表示サイズとは異なるサイズで表示するとともに、該選択された表示アイテムに対する特定の処理を指示する指示アイテムであって、前記選択された表示アイテムの選択前に表示されていなかった指示アイテムを表示するように制御する制御ステップと、
前記選択された表示アイテムが前記指示アイテムの表示位置に移動されたことに応じて、前記選択された表示アイテムに対して前記特定の処理を実行する処理ステップと
を有することを特徴とする表示制御方法。
【請求項２６】
表示アイテムを表示手段に表示するように制御する表示制御ステップと、
前記表示手段に表示された表示アイテムを該表示手段上で移動させる操作を受け付ける受付ステップと、
前記受付ステップで受け付けた操作によって表示アイテムが選択されて移動可能になったことに応じて、選択された表示アイテムを選択前の表示サイズとは異なるサイズで表示し、前記操作が終了したことに応じて、前記選択された表示アイテムの表示サイズを前記選択前の表示サイズに戻すように制御する制御ステップと
を有することを特徴とする表示制御方法。
【請求項２７】
コンピュータを、請求項１乃至２４のいずれか１項に記載の表示制御装置の各手段として機能させるためのプログラム。
【請求項２８】
コンピュータを、請求項１乃至２４のいずれか１項に記載の表示制御装置の各手段として機能させるためのプログラムを格納したコンピュータ読み取り可能な記憶媒体。
【手続補正２】
【補正対象書類名】明細書
【補正対象項目名】０００９
【補正方法】変更
【補正の内容】
【０００９】
また、多段マルチ再生において、１度にたくさんの画像を表示すればするほど、１枚あたりの画像サイズが小さくなってしまう。このため、画像を選択しても、その画像の詳細が判別不能となってしまい、そのまま指示アイテムに移動させて処理を指示する場合、間違った画像に対して処理の指示を行ってしまう可能性があった。
本発明は前述の問題点に鑑み、表示アイテムを指示アイテムに移動させる際に、表示アイテムの大きさをより操作しやすい大きさにして処理の指示を行うことができるようにすることを目的とする。
【手続補正３】
【補正対象書類名】明細書
【補正対象項目名】００１０
【補正方法】変更
【補正の内容】
【００１０】
本発明の表示制御装置は、
表示アイテムを表示手段に表示するように制御する表示制御手段と、
前記表示手段に表示された表示アイテムを該表示手段上で移動させる操作を受け付ける受付手段と、
前記受付手段で受け付けた操作によって表示アイテムが選択されて移動可能になったことに応じて、選択された表示アイテムを選択前の表示サイズとは異なるサイズで表示するとともに、該選択された表示アイテムに対する特定の処理を指示する指示アイテムであって、前記選択された表示アイテムの選択前に表示されていなかった指示アイテムを表示するように制御する制御手段と、
前記選択された表示アイテムが前記指示アイテムの表示位置に移動されたことに応じて、前記選択された表示アイテムに対して前記特定の処理を実行する処理手段と
を有することを特徴とする。
【手続補正４】
【補正対象書類名】明細書
【補正対象項目名】００１１
【補正方法】変更
【補正の内容】
【００１１】
本発明によれば、表示アイテムを移動させる際に、表示アイテムの大きさをより操作しやすい大きさにするので操作が行いやすくなる。
【手続補正５】
【補正対象書類名】明細書
【補正対象項目名】００４６
【補正方法】変更
【補正の内容】
【００４６】
（他の実施形態）
本発明は、以下の処理を実行することによっても実現される。即ち、前述した実施形態の機能を実現するソフトウェア（プログラム）をネットワーク又は各種のコンピュータ読み取り可能な記憶媒体を介してシステム或いは装置に供給する。そして、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
本発明によると、シングル再生時に画像を選択し指示アイテムに移動させて処理を指示する場合、画像を選択した時点で画像サイズを指示アイテムに移動しやすいサイズに縮小する。これにより、処理を指示する前の画像サイズに関わらず、同じ操作感で処理の指示が可能となり、操作性を向上させることができる。
また、本発明の他の特徴によれば、処理を指示する前の画像サイズが極端に小さい場合、処理を指示するのに邪魔にならない程度の大きさに大きくすることにより、処理を行う画像に対して視認性がよくなる上に、同じ操作感で処理の指示が可能となる。
また、本発明の他の特徴によれば、リサイズした画像を中央に移動し、周囲に指示アイテムを配置することにより、どのサイズのどの位置にある画像であっても、同じ操作性で操作を指示することが可能となる。